(57)【要約】【課題】インストルメントパネル本体のエアバッグ装置用の開口部にパネル部材を取付けるものにおいて、エアバッグ装置収納部の収納壁と、インパネ側嵌合壁に外嵌するパネル側嵌合壁とをパネル部材に一体成形する場合に、コストの低減を図り、かつインストルメントパネル本体のデザイン自由度が低下するのを防止する。【解決手段】パネル部材４１の板状本体４３裏面に矩形枠状のエアバッグ収納部５３を突設する。この収納部５３を構成する後側収納壁５５ｂにその先端から基端側へ延びる複数のスリットを並設して、後側収納壁５５ｂの先端側を互いに分離させて前後方向に撓み可能に略櫛歯状に形成する。成形時の脱型工程において、収納部５３内面を形成する第１スライド型７７を移動させた後に下型７５を移動させる。【選択図】      図１
2004306819.tif 000002
【特許請求の範囲】
【請求項１】
インストルメントパネル本体の開口部に該開口部を閉塞するようにパネル部材を取付けてなるインストルメントパネルであって、
上記インストルメントパネル本体は、開口部外周縁から裏側へ延びるインパネ側嵌合壁を有し、
上記パネル部材は、意匠面をなし上記インストルメントパネル本体の開口部を覆う板状本体と、該板状本体の裏面に突設されて上記開口部に挿入され内部にエアバッグ装置を収納する平面視略矩形枠状の収納部と、該収納部に対応するように上記板状本体に一体に形成され上記エアバッグ装置の作動により開くドア部と、上記板状本体に一体に形成され上記インパネ側嵌合壁に外嵌するパネル側嵌合壁とを備え、上記収納部は上記パネル側嵌合壁に対向する収納壁を有し、
上記パネル側嵌合壁が上記インパネ側嵌合壁に外嵌した形態での両嵌合壁の傾斜角は同等に設定されるとともに上記収納壁及びパネル側嵌合壁の成形型抜き角は互いに異なって設定され、
上記収納壁は、突出方向先端から基端側へ延びる複数のスリットにより先端側が互いに分離されて撓み可能に略櫛歯状に形成されていることを特徴とするインストルメントパネル。
【請求項２】
インストルメントパネル本体の開口部に該開口部を閉塞するようにパネル部材を取付けてなるインストルメントパネルであって、
上記インストルメントパネル本体は、開口部外周縁から裏側へ延びるインパネ側嵌合壁を有し、
上記パネル部材は、意匠面をなし上記インストルメントパネル本体の開口部を覆う板状本体と、該板状本体の裏面に突設されて上記開口部に挿入され内部にエアバッグ装置を収納する平面視略矩形枠状の収納部と、該収納部に対応するように上記板状本体に一体に形成され上記エアバッグ装置の作動により開くドア部と、上記板状本体に薄肉ヒンジを介して一体に形成され上記インパネ側嵌合壁に外嵌するパネル側嵌合壁とを備え、上記収納部は上記パネル側嵌合壁に対向する収納壁を有し、
上記パネル側嵌合壁は上記薄肉ヒンジにより折り曲げられてインパネ側嵌合壁に外嵌した形態で保持され、この外嵌した形態でのパネル側嵌合壁の傾斜角は上記収納壁の成形型抜き角と互いに異なって設定されていることを特徴とするインストルメントパネル。
【発明の詳細な説明】
【０００１】
【発明の属する技術分野】
本発明は、車両に配設されるインストルメントパネルに関し、特に、インストルメントパネル本体に形成されたエアバッグ装置用の開口部を別体のパネル部材で閉塞するようにした構造の技術分野に属する。
【０００２】
【従来の技術】
従来より、車両のインストルメントパネルの裏側に、車両衝突時の衝撃から助手席乗員を保護するためのエアバッグ装置を配設し、インストルメントパネル本体のエアバッグ装置と対向する箇所に開口部を形成して、この開口部に該開口部を閉塞するようにインストルメントパネル本体表側から別体のパネル部材を取付けるようにしたインストルメントパネルが知られている（例えば、特許文献１参照。）。
【０００３】
上記特許文献１のインストルメントパネルでは、開口部がインストルメントパネル本体の略水平な上壁に形成され、該上壁の後縁には、インストルメントパネル裏側へ向かって前下がりに傾斜して延びる縦壁が形成され、該縦壁とその下端に連続する下壁とにより、物品収納用の凹部がインストルメントパネル本体の裏側へ窪むように形成されている。
【０００４】
しかし、パネル部材は、インストルメントパネル本体上壁の開口部外周縁に対応する形状の板状本体を備えており、該板状本体の裏面に上記エアバッグ装置を収納する枠状の収納部が突設されている。そして、上記エアバッグ装置が作動すると、エアバッグは、収納部を構成する収納壁により適切な方向にガイドされながら板状本体に形成されたドア部を開いてインストルメントパネル本体の表側へ膨出する。
【０００５】
【特許文献１】
特開平１０―５９１１１号公報（第３頁、図１、図２）
【０００６】
【発明が解決しようとする課題】
しかしながら、上記特許文献１のインストルメントパネルでは、パネル部材の板状本体外周縁が、インストルメントパネル本体の開口部外周縁に表側から重ねられているため、板状本体の全周に亘ってインストルメントパネル本体上壁との間に段差が生じたり、板状本体の外周縁が表面側に表れ、インストルメントパネルの外観見映えが悪い。
【０００７】
そこで、パネル部材の板状本体にインストルメントパネル本体の物品収納用凹部を構成する縦壁と同等に傾斜する嵌合壁を形成し、該嵌合壁を上記縦壁に外嵌させることでパネル部材とインストルメントパネル本体との間に連続感を持たせ、インストルメントパネルの外観見映えを良好にすることが考えられる。
【０００８】
一方、パネル部材の収納壁は、エアバッグ装置作動時のエアバッグの膨出を適切な方向にガイドするように延びており、この収納壁の傾斜角と上記インストルメントパネル本体の縦壁の傾斜角とが互いに異なっている場合がある。この場合において、上述の如くパネル部材に嵌合壁を形成すると、収納壁と嵌合壁との傾斜角も互いに異なり、その結果、収納壁及び嵌合壁のいずれか一方側にアンダーカット部が形成され、パネル部材の射出成形の際、パネル部材を成形型から脱型するには成形型のアンダーカット部に対応する位置にスライド型を新規に設けなければならず、型費が高くなりコストアップを招く。また、パネル部材の収納壁及び嵌合壁の間にアンダーカット部が形成されないように、インストルメントパネル本体の縦壁の傾斜角を設定することが考えられるが、この場合では、縦壁の形状、即ち物品収納用凹部の形状設定が自由に行えず、インストルメントパネル本体のデザイン自由度が低下する。
【０００９】
本発明は斯かる点に鑑みてなされたものであり、その目的とするところは、インストルメントパネル本体の縦壁（インパネ側嵌合壁）に外嵌してインストルメントパネルの外観見映えを良好にするパネル側嵌合壁と、エアバッグ装置の作動時にエアバッグの膨出をガイドする収納壁とをパネル部材に一体成形する場合に、該パネル部材の構造を工夫することにより、スライド型を新規に設けることを回避してコストの低減を図り、かつ、インストルメントパネル本体のデザイン自由度が低下するのを防止することにある。
【００１０】
【課題を解決するための手段】
上記目的を達成するために、請求項１の発明では、パネル部材を成形する成形型を抜き方向に移動させる際に、パネル部材と一体の収納壁を撓ませるようにした。
【００１１】
具体的には、インストルメントパネル本体の開口部に該開口部を閉塞するようにパネル部材を取付けてなるインストルメントパネルを対象とする。
【００１２】
そして、上記インストルメントパネル本体は、開口部外周縁から裏側へ延びるインパネ側嵌合壁を有し、上記パネル部材は、意匠面をなし上記インストルメントパネル本体の開口部を覆う板状本体と、該板状本体の裏面に突設されて上記開口部に挿入され内部にエアバッグ装置を収納する平面視略矩形枠状の収納部と、該収納部に対応するように上記板状本体に一体に形成され上記エアバッグ装置の作動により開くドア部と、上記板状本体に一体に形成され上記インパネ側嵌合壁に外嵌するパネル側嵌合壁とを備え、上記収納部は上記パネル側嵌合壁に対向する収納壁を有し、上記パネル側嵌合壁が上記インパネ側嵌合壁に外嵌した形態での両嵌合壁の傾斜角は同等に設定されるとともに、上記収納壁及びパネル側嵌合壁の成形型抜き角は互いに異なって設定され、上記収納壁は、突出方向先端から基端側へ延びる複数のスリットにより先端側が互いに分離されて撓み可能に略櫛歯状に形成されている構成とする。
【００１３】
この構成によれば、パネル部材をインストルメントパネル本体の開口部に取付けると、板状本体に一体に形成されたパネル側嵌合壁がインストルメントパネルの裏側へ延びるインパネ側嵌合壁に外嵌するので、パネル部材外周縁がインストルメントパネル本体の表面から奥まった部分に位置することになり、これにより、インストルメントパネル本体とパネル部材との嵌合部に、従来のような段差やパネル部材の外周縁等がインストルメントパネルの表面に表れず連続感が得られ、インストルメントパネルの外観見映えが向上する。
【００１４】
また、パネル部材成形時の脱型工程では、まず、収納部内面を成形する成形型を収納壁に沿う抜き角で移動させて該収納壁から離し、その後、パネル側嵌合壁を成形する成形型を該パネル側嵌合壁に沿う抜き角で移動させる。このパネル側嵌合壁の成形型を移動させる際、該成形型の抜き角は上記収納壁の成形型の抜き角と異なって設定されていて、パネル側嵌合壁の成形型が収納壁を押圧するようになるが、上記収納部の内側には成形型が上記工程により存在せず、しかも、上記収納壁は先端側が互いに分離されて撓み可能に略櫛歯状に形成されているので、パネル側嵌合壁の成形型により押圧された収納壁は該成形型の移動方向に撓み変形し、パネル側嵌合壁の成形型がスムーズに移動する。
【００１５】
これにより、インパネ側嵌合壁の形状を自由に設定してインストルメントパネル本体のデザイン自由度が低下するのを防止しながら、そのインパネ側嵌合壁と同等の傾斜角のパネル側嵌合壁と、エアバッグを適切にガイドするように延びる収納壁とをパネル部材の板状本体に一体成形する場合に、収納壁とパネル側嵌合壁との間にスライド型を新規に設けることなくパネル部材の脱型が可能となり、コストの低減が図られる。
【００１６】
請求項２の発明では、パネル部材の板状本体とパネル側嵌合壁との間に薄肉ヒンジを介在させた。
【００１７】
具体的には、インストルメントパネル本体の開口部に該開口部を閉塞するようにパネル部材を取付けてなるインストルメントパネルを対象とする。
【００１８】
そして、上記インストルメントパネル本体は、開口部外周縁から裏側へ延びるインパネ側嵌合壁を有し、上記パネル部材は、意匠面をなし上記インストルメントパネル本体の開口部を覆う板状本体と、該板状本体の裏面に突設されて上記開口部に挿入され内部にエアバッグ装置を収納する平面視略矩形枠状の収納部と、該収納部に対応するように上記板状本体に一体に形成され上記エアバッグ装置の作動により開くドア部と、上記板状本体に薄肉ヒンジを介して一体に形成され上記インパネ側嵌合壁に外嵌するパネル側嵌合壁とを備え、上記収納部は上記パネル側嵌合壁に対向する収納壁を有し、上記パネル側嵌合壁は上記薄肉ヒンジにより折り曲げられてインパネ側嵌合壁に外嵌した形態で保持され、この外嵌した形態でのパネル側嵌合壁の傾斜角は上記収納壁の成形型抜き角と互いに異なって設定されている構成とする。
【００１９】
この構成によれば、パネル部材のパネル側嵌合壁がインパネ側嵌合壁に外嵌して保持されるので、請求項１の発明の同様にインストルメントパネルの外観見映えが向上する。
【００２０】
また、パネル部材の板状本体とパネル側嵌合壁との間に薄肉ヒンジが介在しているので、上記インパネ側嵌合壁に外嵌した形態でのパネル側嵌合壁及び収納壁の傾斜角が互いに異なっていても、パネル側嵌合壁を収納壁と同方向に延びる形状で板状本体に一体成形した後に、パネル側嵌合壁を薄肉ヒンジにより折り曲げてインパネ側嵌合壁に外嵌させることが可能となる。
【００２１】
これにより、インパネ側嵌合壁の形状を自由に設定してインストルメントパネル本体のデザイン自由度が低下するのを防止しながら、そのインパネ側嵌合壁に外嵌するパネル側嵌合壁と、エアバッグを適切にガイドするように延びる収納壁とをパネル部材の板状本体に一体成形する場合に、収納壁とパネル側嵌合壁との間にスライド型を新規に設けることなくパネル部材の脱型が可能となり、コストの低減が図られる。
【００２２】
【発明の実施の形態】
以下、本発明の実施形態を図面に基づいて説明する。
【００２３】
尚、この実施形態の説明では、説明の便宜を図るために、「前」とは車両の前側を、また「後」とは車両の後側を、さらに「左」とは車幅方向左側を、さらにまた「右」とは車幅方向右側をそれぞれ表すこととしている。
【００２４】
（実施形態１）
図２は、本発明の実施形態１に係るインストルメントパネルＰを示し、このインストルメントパネルＰは、左側にステアリングホイール（図示せず）を備えた左ハンドル車用に構成されていて、車室の前端部に配設されている。
【００２５】
上記インストルメントパネルＰは、左側に計器類の上方を覆うメータフードＦが形成され右側にグローブボックスＢが配設されたインストルメントパネル本体１を備えている。該インストルメントパネル本体１は、樹脂材を射出成形してなり、前側から後側へ若干下降して延びる上壁３と、該上壁３の後縁から下方へ延びる縦壁５とを備えている。
【００２６】
図３に示すように、助手席前方のインストルメントパネル本体１裏側には、公知のエアバッグ装置７が配設されており、このエアバッグ装置７は、エアバッグケース９を備え、このエアバッグケース９内には、図示しないが、インフレータ及び折り畳み状態のエアバッグが収納されている。このエアバッグ装置７に対向するインストルメントパネル本体上壁３には、平面視で後述のエアバッグ収納部５３の外形よりも大きい開口部１１が形成されている。尚、上記エアバッグ装置７は、インストルメントパネル本体１の裏側で左右に延びるインパネメンバ１３にブラケット１５を介して支持されている。
【００２７】
また、上記インストルメントパネル本体１の開口部１１よりも後側には、物品を載置するための凹部１７が、インストルメントパネル本体１の裏側へ窪むように形成されている。すなわち、開口部１１外周縁の後側は下側へ湾曲して形成され、この湾曲部分には、上記凹部１７の前壁を形成するインパネ側嵌合壁１７ａが連続し、このインパネ側嵌合壁１７ａはインストルメントパネル本体１の裏側へ向けて下端側へ行くほど前側に位置するように傾斜して延びている。インパネ側嵌合壁１７ａの下縁には、そこから略水平後側へ延びる凹部１７の下壁１７ｂが連続し、この下壁１７ｂの後縁はインストルメントパネル本体縦壁５に連続している。凹部１７の下壁１７ｂと縦壁５との境界には上側へ突出して左右に延びる突条部１９が形成されている。
【００２８】
一方、インストルメントパネル本体１の開口部１１よりも前側には孔部２３が形成され、また、この孔部２３の前側には、下側へ窪んで左右に延びる凹条部２５が形成されている。さらに、インストルメントパネル本体１の凹条部２５よりも前側には、上側への段差部２７が形成されている。
【００２９】
また、インストルメントパネル本体１の開口部１１よりも右側には、上記上壁３前側の段差部２７と連続して後側へ延びる上側への右側段差部２９が形成されている。一方、インストルメントパネル本体１の開口部１１よりも左側には、上記右側段差部２９に対応するように左側段差部３５が形成されている。
【００３０】
上記インストルメントパネル本体１の開口部１１には、該開口部１１を閉塞するパネル部材４１が取付けられている。該パネル部材４１は、樹脂材を射出成形してなり、インストルメントパネル本体１の開口部１１を覆う矩形の板状本体４３を備えている。この板状本体４３の左端側は上記左側段差部３５まで延びる一方、右端側は右側段差部２９まで延びている。
【００３１】
また、上記板状本体４３の前端側は、インストルメントパネル本体上壁３の上記凹条部２５の直上方まで延びており、その前端には、凹条部２５に挿入される突条部４５が下側へ突設されている。一方、上記板状本体４３の後端側はインストルメントパネル本体１の開口部１１後縁の後側まで延び、インストルメントパネル本体１の湾曲部分表面に沿って湾曲形成されている。この板状本体４３の後端には、上記インストルメントパネル本体１のインパネ側嵌合壁１７ａに外嵌するパネル側嵌合壁４７が一体に形成されている。該パネル側嵌合壁４７はインパネ側嵌合壁１７ａに沿って下側へ延びてその下端が凹部１７の下壁１７ｂ前端に当接しており、このパネル側嵌合壁４７の傾斜角は、インパネ側嵌合壁１７ａに外嵌した形態で、インパネ側嵌合壁１７ａの傾斜角と同等になるように設定されている。
【００３２】
上記板状本体４３裏面の開口部１１後縁に対応する箇所には、該開口部１１後縁に係合する後側爪部４９が突設される一方、板状本体４３裏面の前端側には上記上壁３の孔部２３に挿入され該孔部２３周縁に係合する前側爪部５１が突設されている。
【００３３】
また、板状本体４３裏面の略中央部には、図４にも示すように、平面視で略矩形枠状をなす上記エアバッグ装置７の収納部５３が下方へ突設されている。該収納部５３は、開口部１１を通ってインストルメントパネル本体１の裏側へ突出していて、前後左右の４つの収納壁５５ａ〜５５ｄから構成されている。各収納壁５５ａ〜５５ｄは、エアバッグ装置７の作動時にエアバッグの膨出を適切な方向にガイドするように形成されており、左側収納壁５５ｃ及び右側収納壁５５ｄの下縁は、上記前側収納壁５５ａ及び後側収納壁５５ｂの下縁に連続していて後側へ向かって下降傾斜して延びている。
【００３４】
上記後側収納壁５５ｂには、下端（突出方向先端）から上端近傍まで延びるスリット５７，５７，…が左右に多数並設され、また、この後側収納壁５５ｂと左右両収納壁５５ｃ，５５ｄとの間にも同様なスリット５７が形成されている。これにより、後側収納壁５５ｂは、先端側が互いに分離した略櫛歯状に形成され、隣り合うスリット５７，５７間の部分がそれぞれ前後方向に撓み可能となる。尚、前側及び後側収納壁５５ａ，５５ｂの下端近傍に形成された矩形の貫通孔５９，５９，…には、上記エアバッグ装置７の係合片６１，６１が挿入されエアバッグ装置７の作動時に係合するようになっている。
【００３５】
また、板状本体４３裏面の収納部５３内面に対応する箇所には、表面側へ向けて凹陥するＶ字状の溝部４３ａが平面視で矩形の四辺をなすように形成され、さらに、その矩形の前後中央部には左右に延びる同様なＶ字状の溝部４３ｂが形成されている。この板状本体４３の四辺の溝部４３ａによって囲まれた部分に、エアバッグ装置７の作動により表側へ開く矩形状のドア部６３が形成されている。
【００３６】
すなわち、エアバッグ装置７の作動時に膨出するエアバッグがドア部６３を裏側から押圧すると、中央の溝部４３ｂ及び左右両側に位置する２辺の溝部４３ａにより構成される破断予定部４１ａが破断してドア部６３が溝部４３ｂよりも前側の前側部６３ａ及び後側の後側部６３ｂに分離する。このとき、ドア部６３の前側部６３ａが前側に位置する溝部４３ａによって構成される薄肉ヒンジ４１ｂ周りに回動して表側へ開くとともに、後側部６３ｂが後側に位置する溝部４３ａによって構成される薄肉ヒンジ４１ｂ周りに回動して表側に開く。尚、このドア部６３は、上記各溝部４３ａ，４３ｂが表面側から識別できないいわゆるシームレスタイプに構成されている。
【００３７】
次に、上記構成のパネル部材４１を成形する成形型７１について、図１、図５及び図６に基づいて説明する。この成形型７１は、パネル部材４１表面側を成形する上型７３と、裏面側を成形する下型７５とを備え、上型７３は固定型とされる一方、下型７５は上型７３に対して接離可能に構成されている。この下型７５の抜き角は、パネル側嵌合壁４７の水平面に対する傾斜角α゜（図１にのみ示す）と同等に設定されている。
【００３８】
上記下型７５には、パネル部材４１の収納部５３内面に対応する第１スライド型７７が設けられている。この第１スライド型７７の抜き角は、上記下型７５の抜き角α゜とは異なり、収納部５３の突出方向と同等に設定されている。また、下型７５には、前側爪部５１及び後側爪部４９を成形するための第２スライド型７９，７９（図５のみに示す）が設けられていて、この第２スライド型７９，７９は水平左右方向に移動する。
【００３９】
上記成形型７１を用いてパネル部材４１を成形する際には、まず、図５に示すように、上型７３及び下型７５を型締めし、図示しない樹脂射出ノズルによりキャビティ内に溶融樹脂を射出する。その後の脱型工程では、図６に示すように、第１スライド型７７を下方に移動させて該第１スライド型７７の上端を後側収納壁５５ｂの下端よりも下側に位置付ける。また、この第１スライド型７７の移動と同時に第２スライド型７９を水平左右方向一側へ移動させる。
【００４０】
しかる後、図１に示すように、下型７５及び第１スライド型７７を抜き角α゜に沿わせて斜め下方へ移動させると、この下型７５の後側収納壁５５ｂ及びパネル側嵌合壁４７の間に対応する下型７５のアンダーカット成形部分７５ａにより、後側収納壁５５ｂがパネル部材４１の前側へ押圧される。
【００４１】
このとき、後側収納壁５５ｂは前後方向に撓み可能に略櫛歯状に形成されているので、下型７５の上記アンダーカット成形部分７５ａにより後側収納壁５５ｂの下端側が前側へ変位するように撓み変形する。これにより、上記アンダーカット成形部分７５ａが後側収納壁５５ｂに強く干渉することはなく、スムーズに移動して脱型工程が完了する。
【００４２】
以上説明したように、この実施形態１に係るインストルメントパネルＰによると、パネル部材４１の前側爪部５１及び後側爪部４９をインストルメントパネル本体１の孔部２３周縁及び開口部１１後縁に係合させてパネル部材４１を開口部１１に取り付ける際、板状本体４３に一体に形成したパネル側嵌合壁４７をインパネ側嵌合壁１７ａに外嵌させるようにしたので、インストルメントパネル本体１右側の表面は略全体がパネル部材４１により覆われる。これにより、インストルメントパネル本体１前側の段差部２７から凹部１７まで連続感を得ることができて、インストルメントパネルＰの外観見映えを良好にできる。
【００４３】
そして、パネル部材４１の板状本体４３裏面に突設したエアバッグ装置７の収納部５３の後側収納壁５５ｂに複数のスリット５７，５７，…を形成して該後側収納壁５５ｂを撓み可能に略櫛歯状に形成し、成形時の脱型工程において第１スライド型７７を移動させた後に下型７５を抜き角に沿って移動させるようにしたので、後側収納壁５５ｂ及びパネル側嵌合壁４７の延びる方向が互いに異なっても、これらの間に形成されるアンダーカット部に対応するスライド型を新規に設けずに、パネル部材４１の脱型が可能となる。
【００４４】
これにより、凹部１７の形状、即ちインパネ側嵌合壁１７ａの形状を自由に設定することによりインストルメントパネル本体１のデザイン自由度が低下するのを防止しながら、そのインパネ側嵌合壁１７ａと同等の傾斜角のパネル側嵌合壁４７と、エアバッグをガイドする後側収納壁５５ｂとをパネル部材４１の板状本体４３に一体成形する場合に、コストを低減できる。
【００４５】
尚、この実施形態１では、パネル部材４１を爪部４９，５１によりインストルメントパネル本体１の開口部１１に取付けるようにしたが、これに限らず、例えばパネル部材４１の板状本体４３とインストルメントパネル本体１とを熱溶着により結合するようにしてもよい。
【００４６】
（実施形態２）
図７及び図８は、本発明の実施形態２に係るインストルメントパネルＰを示し、この実施形態２のインストルメントパネルＰは実施形態１のものとはパネル部材４１のパネル側嵌合壁４７及びインストルメントパネル本体１のインパネ側嵌合壁１７ａが一部異なるだけなので、以下、同一の部分には同一の符号を付し異なる部分だけを詳しく説明する。すなわち、この実施形態２では、パネル側嵌合壁４７はパネル部材４１の板状本体４３に薄肉ヒンジ８３を介在させて一体に形成されるようにした。
【００４７】
具体的には、板状本体４３裏面の後端側に表面側へ向けて凹陥して左右に延びるＶ字状の溝部４３ｃが形成され、この部分により薄肉ヒンジ８３が形成されており、パネル側嵌合壁４７は、図８に矢印イで示すように、薄肉ヒンジ８３を支点として下側が前後に揺動する。
【００４８】
また、インストルメントパネル本体１のインパネ側嵌合壁１７ａには孔部８５が形成される一方、パネル部材４１のパネル側嵌合壁４７の裏面には上記孔部８５に挿入されて該孔部８５周縁に係合する爪部８７が一体に形成されている。
【００４９】
上記構成のパネル部材４１を成形する際には、図８に実線で示したように、パネル側嵌合壁４７を収納壁５３と同じ方向に延びるように展開した形状で成形する。これにより、後側収納壁５５ｂ及びパネル側嵌合壁４７の間にアンダーカット部が形成されず、このため上記実施形態１で後側収納壁５５ｂに形成したスリットを省略して、パネル部材４１の脱型が可能となる。
【００５０】
そして、上記の如く成形されたパネル部材４１をインストルメントパネル本体１の開口部１１に取付ける際には、図７に示すように、パネル側嵌合壁４７を薄肉ヒンジ８３により折り曲げて爪部８７を孔部８３周縁に係合させる。これにより、パネル側嵌合壁４７がインパネ側嵌合壁１７ａに外嵌した形態で保持される。このパネル側嵌合壁４７が外嵌した形態では、収納壁５３は上述の如くエアバッグの膨出を適切な方向にガイドするように板状本体４３から下方に突出しているので、上記パネル側嵌合壁４７の傾斜角は上記収納壁５３の成形型の抜き角と異なっている。
【００５１】
したがって、この実施形態では、上記実施形態１と同様にインストルメントパネルＰの外観見映えを良好にできる。また、板状本体４３とパネル側嵌合壁４７との間に薄肉ヒンジ８３を介在させたので、パネル側嵌合壁４７を後側収納壁５５ｂと同方向に延びる形状で板状本体４３に一体に成形することができる。
【００５２】
これにより、インストルメントパネル本体１のデザイン自由度が低下するのを防止しながら、そのインパネ側嵌合壁１７ａに外嵌するパネル側嵌合壁４７と、エアバッグをガイドする後側収納壁５５ｂとをパネル部材４１の板状本体４３に一体成形する場合に、後側収納壁５５ｂとパネル側嵌合壁４７との間にスライド型を新規に設けることなくパネル部材４１の脱型が可能となり、コストを低減できる。
【００５３】
尚、この実施形態２では、パネル側嵌合壁４７の爪部８７をインパネ側嵌合壁１７ａの孔部８５周縁に係合させることにより、パネル側嵌合壁４７をインパネ側嵌合壁１７ａに外嵌した形態で保持するようにしているが、これに限らず、例えば接着剤を用いて両嵌合壁１７ａ，４７を接着するようにしてもよいし、熱溶着するようにしてもよい。
【００５４】
また、上記実施形態１、２では、ドア部６３を前側部６３ａ及び後側部６３ｂからなる、いわゆる観音開きタイプに構成したが、これに限らず、ドア部６３を分割することなく、例えば前側を薄肉ヒンジとし後側が開くドア１つの片開きタイプに構成してもよい。また、ドア部６３の裏面に補強板を一体に設けるようにしてもよい。さらに、破断予定部４１ａは、上記実施形態１、２のようにパネル部材４１の射出成形時に形成することなく、射出成形後にレーザ光線等により加工してもよい。
【００５５】
【発明の効果】
以上説明したように、請求項１の発明に係るインストルメントパネルによると、インストルメントパネル本体がインパネ側嵌合壁を有し、パネル部材が、板状本体と、該板状本体に一体に形成されインパネ側嵌合壁に外嵌するパネル側嵌合壁とを備えているので、インストルメントパネル本体とパネル部材との嵌合部に連続感が得られ、インストルメントパネルの外観見映えを向上できる。また、パネル部材はエアバッグ装置を収納する枠状の収納部を備え、パネル側嵌合壁がインパネ側嵌合壁に外嵌した形態での両嵌合壁の傾斜角を同等に設定するとともに、収納壁及びパネル側嵌合壁の成形型抜き角を互いに異ならせ、収納壁を、複数のスリットにより先端側を互いに分離させて撓み可能に略櫛歯状に形成したので、パネル部材成形時の脱型工程では、収納部内面を成形する成形型を収納壁から離し、その後、パネル側嵌合壁の成形型を移動させる際、収納壁が撓み変形してスムーズに移動し、これにより、インパネ側嵌合壁の形状を自由に設定してインストルメントパネル本体のデザイン自由度が低下するのを防止しながら、パネル側嵌合壁と収納壁とをパネル部材の板状本体に一体成形する場合に、スライド型を新規に設けることなくパネル部材の脱型が可能となり、コストを低減できる。
【００５６】
請求項２の発明に係るインストルメントパネルによると、インストルメントパネル本体がインパネ側嵌合壁を有し、パネル部材が、板状本体と、板状本体に一体に形成されインパネ側嵌合壁に外嵌するパネル側嵌合壁とを備えているので、請求項１の発明と同様に、インストルメントパネル本体の外観見映えを向上できる。また、パネル部材は、エアバッグ装置を収納する枠状の収納部を備え、パネル側嵌合壁を薄肉ヒンジを介して板状本体に一体に形成し、パネル側嵌合壁を薄肉ヒンジにより折り曲げてインパネ側嵌合壁に外嵌した形態で保持し、この外嵌した形態でのパネル側嵌合壁の傾斜角を収納壁の成形型抜き角と互いに異ならせたので、パネル側嵌合壁を収納壁と同方向に延びる形状で板状本体に一体成形し、その後、パネル側嵌合壁を薄肉ヒンジにより折り曲げてインパネ側嵌合壁に外嵌させることが可能となり、これにより、インパネ側嵌合壁の形状を自由に設定してインストルメントパネル本体のデザイン自由度が低下するのを防止しながら、パネル側嵌合壁と収納壁とをパネル部材の板状本体に一体成形する場合に、スライド型を新規に設けることなくパネル部材の脱型が可能となり、コストを低減できる。
【図面の簡単な説明】
【図１】パネル部材成形時の脱型工程において図６の状態よりさらに下型を移動させた状態を示す図５相当図である。
【図２】本発明の実施形態１に係るインストルメントパネルの斜視図である。
【図３】インストルメントパネルの右側の縦断面図である。
【図４】パネル部材の収納部近傍を裏側から見た斜視図である（但し、前側爪部５１及び後側爪部４９を省略している）。
【図５】パネル部材成形時の脱型前の状態を示す縦断面図である。
【図６】パネル部材成形時の脱型工程において第１スライド型及び第２スライド型を移動させた状態を示す図５相当図である。
【図７】本発明の実施形態２に係る図３相当図である。
【図８】本発明の実施形態２のパネル部材の縦断面図である。
【符号の説明】
１        インストルメントパネル本体
７        エアバッグ装置
１１      開口部
１７ａ    インパネ側嵌合壁
４１      パネル部材
４３      板状本体
４７      パネル側嵌合壁
５３      収納部
５５ｂ    後側収納壁
５７      スリット
６３      ドア部
７５      下型
７７      第１スライド型
８３      薄肉ヒンジ
Ｐ        インストルメントパネル
α        下型の抜き角
【図１】
2004306819.tif 000003
【図２】
2004306819.tif 000004
【図３】
2004306819.tif 000005
【図４】
2004306819.tif 000006
【図５】
2004306819.tif 000007
【図６】
2004306819.tif 000008
【図７】
2004306819.tif 000009
【図８】
2004306819.tif 000010